(57)【要約】【課題】  輸送時の振動等による外力が加わろうとも確実に梱包箱内に収納した被梱包物を保持することができる緩衝材を提供すること。【解決手段】  側面中央部１１と側面中央部１１の平行する２辺に折り曲げ線２９で連接された２つの側面部１２と側面中央部１１の上端に折り曲げ線５０で連接された上面部１３と上面部１３には折り返し線１６と切溝１４によって形成され折り返し線１６から先端５１に向かって広がる形状の当接部１５と当接部１５の端部１７の形状に対応する係止孔１８とを一枚の板状部材により一体形成し当接部１５を折り返し線１６で折り返して係止孔１８に当接部１５の端部１７を嵌挿し上面部１３は折り曲げ線５０に沿って折り曲げたとき略直方体の被梱包物２の湾曲面２ｃ頂部近傍に当接し輸送時の振動等による外力が加わろうとも当接部１５の折り返しが解除されることはなく確実に梱包箱１内に収納した被梱包物２を保持することができる。【選択図】  図１
2010023872.tif 000002
【特許請求の範囲】
【請求項１】
側面中央部と、側面中央部の平行する２辺に折り曲げ線で連接された２つの側面部と、側面中央部の上端に折り曲げ線で連接された上面部と、該上面部には折り返し線と切溝によって形成され、折り返し線から先端に向かって広がる形状の当接部と、該当接部の端部の形状に対応する係止孔とを一枚の板状部材により一体形成し、前記当接部を折り返し線で折り返して前記係止孔に当接部の端部を嵌挿し、前記上面部は折り曲げ線に沿って折り曲げたとき、略直方体の被梱包物の湾曲面頂部近傍に当接し、被梱包物を保持する当接部を形成したことを特徴とする緩衝材。
【請求項２】
前記上面部は第一の当接部と第一の折り返し線及び第二の当接部と第二の折り返し線を形成し、第一の当接部の一端を切り欠いた第一の切り欠け部と第二の当接部の一端を切り欠いた第二の切り欠け部とを形成し、前記第一の当接部を第一の折り返し線で折り返し、前記第二の当接部を第二の折り返し線で折り返して、前記第一の切り欠け部と第二の切り欠け部が互いに引っ掛り係止する第一の当接部及び第二の当接部を有する請求項１の緩衝材。
【請求項３】
前記当接部内に折り曲げ線と切溝によって形成され、該折り曲げ線から先端に向かって広がる形状の係止爪を形成し、該係止爪の形状に対応する係止孔を上面部に形成した請求項１の緩衝材。
【請求項４】
前記上面部に当接部の端部を挟持する位置に、コ字状の切溝により形成された係止片を設け、当接部の端部を係止片に挟持させた請求項１の緩衝材。
【発明の詳細な説明】
【技術分野】
【０００１】
本発明は、梱包箱と被梱包物との間に配設されて被梱包物を衝撃から保護する緩衝材に関するものである。
【背景技術】
【０００２】
従来、梱包箱に被梱包物を収納する場合、外部の衝撃から被梱包物を保護する緩衝材が被梱包箱及び被梱包物間に配設される。（例えば、特許文献1参照）このような緩衝材の一例を図１３により説明する。
【０００３】
緩衝材９９は、梱包箱（図示せず）と被梱包物２（住宅用分電盤）との間、かつ被梱包物２の長手方向両側に配設される。なお、被梱包物２には、窓孔６が形成されており、主幹開閉器及び分岐開閉器２８の操作ハンドル３０が外部に突出している。緩衝材９９は操作ハンドル３０の上端位置よりも上側に緩衝材９９の上端が位置するようになっており、操作ハンドル３０の破損防止が行えるようになっている。
【０００４】
緩衝材９９は、段ボールなどにより一体形成され、被梱包物２の一側面に当接する主片９０と、この主片９０の両側に連設されて被梱包物２の隣合う側面に各々当接する両側片９１と、これらの両側片９１に連設されて外側方向から両側片９１方向に折り返された重合片９２とを有している。主片９０及び両側片９１間には切溝が形成され、この切溝よりも上側を各々被梱包物２側に突出させた突出部９３を被梱包物２の湾曲面２ｃに当接させており、被梱包物２の動きを抑制している。
【特許文献１】特開平１１−４９２４０号公報
【発明の開示】
【発明が解決しようとする課題】
【０００５】
しかしながら、前記従来の緩衝材では、輸送時の振動等による外力が加わったとき被梱包物２と突出部９３の接点で突出部９３には被梱包物２の湾曲面２ｃに対して垂直な方向に力が働き、該垂直な方向の力は被梱包物２が梱包箱上面に向かって移動しようとする力のほかに突出部９３を解除しようとする力に分けられ、該突出部９３を解除しようとする力によって突出部９３は被梱包物２側への突出を維持することができなくなり、被梱包物２の動きを抑制できなくなるという課題を有していた。
【０００６】
本発明は、上記問題点を解消し、輸送時の振動等による外力が加わろうとも確実に梱包箱内に収納した被梱包物を保持することができる緩衝材を提供することを目的とする。
【課題を解決するための手段】
【０００７】
本発明の緩衝材は、側面中央部と、側面中央部の平行する２辺に折り曲げ線で連接された２つの側面部と、側面中央部の上端に折り曲げ線で連接された上面部と、該上面部には折り返し線と切溝によって形成され、折り返し線から先端に向かって広がる形状の当接部と、該当接部の端部の形状に対応する係止孔とを一枚の板状部材により一体形成し、前記当接部を折り返し線で折り返して前記係止孔に当接部の端部を嵌挿し、前記上面部は折り曲げ線に沿って折り曲げたとき、略直方体の被梱包物の湾曲面頂部近傍に当接し、被梱包物を保持する当接部を形成したことを特徴とする。これによって、被梱包物の湾曲面と梱包箱のフラップとの間に当接部が位置することとなり、梱包箱内に収納した被梱包物の動きを抑制するとともに操作ハンドルの破損防止を行うことができる。また当接部は被梱包物の湾曲面頂部近傍に完全に当接しているため輸送時の振動等による外力が加わろうとも当接部の折り返しが解除されることはなく、確実に梱包箱内に収納した被梱包物を保持することができる。また当接部の端部は折り返しを解除しようとする力の方向と反対側に広がる形状であるため、緩衝材組立時に当接部を折り返して係止孔に嵌挿した当接部の折り返しが解除されることはなく、当接部を係止状態で維持することができ、組立作業性に優れている。
【０００８】
また本発明の緩衝材の上面部は、第一の当接部と第一の折り返し線及び第二の当接部と第二の折り返し線を形成し、第一の当接部の一端を切り欠いた第一の切り欠け部と第二の当接部の一端を切り欠いた第二の切り欠け部とを形成し、前記第一の当接部を第一の折り返し線で折り返し、前記第二の当接部を第二の折り返し線で折り返して、前記第一の切り欠け部と第二の切り欠け部が互いに引っ掛り係止する第一の当接部及び第二の当接部を有したものである。これによって、緩衝材組立時に当接部の折り返しがより確実に解除されることはなく請求項１記載の緩衝材よりも組立作業性に優れている。
【０００９】
また本発明の緩衝材の当接部に、当接部内に折り曲げ線と切溝によって形成され、折り曲げ線から先端に向かって広がる形状の係止爪を形成し、該係止爪の形状に対応する係止孔を上面部に形成したものである。これによって、請求項１記載の緩衝材を作る際に係止孔を打ち抜いてできる抜き滓を減らし、材料の廃棄量を減らすことができる。
【００１０】
また本発明の緩衝材の上面部に、当接部の端部を挟持する位置に、コ字状の切溝により形成された係止片を設け、当接部の端部を係止片に挟持させたものである。これによって、請求項１記載の緩衝材を作る際に係止孔を打ち抜いてできる抜き滓をなくし、抜き滓を除去する製作工程を減らすことができる。
【発明の効果】
【００１１】
本発明の緩衝材は、上面部には折り返し線と切溝によって形成され、折り返し線から先端に向かって広がる形状の当接部を折り返し線で折り返して係止孔に嵌挿し、上面部は折り曲げ線に沿って折り曲げたとき、略直方体の被梱包物の湾曲面頂部近傍に当接し、被梱包物を保持する当接部を形成しているため、被梱包物の湾曲面と梱包箱のフラップとの間に当接部が位置することとなり、梱包箱内に収納した被梱包物の動きを抑制するとともに操作ハンドルの破損防止を行うことができる。また当接部は被梱包物の湾曲面頂部近傍に完全に当接しているため輸送時の振動等による外力が加わろうとも当接部の折り返しが解除されることはなく、確実に梱包箱内に収納した被梱包物を保持することができる。また従来の緩衝材では、外部に突出した操作ハンドルの高さが低い場合、突出部を突出した操作ハンドルの高さに対応した高さにすると突出部は十分な強度が得られないので、操作ハンドルの上端位置の高さよりもさらに高くする必要があり、梱包箱内部には冗長な空間が必要であったが、本発明の緩衝材は突出部のように強度を得るための高さが必要にならず、製品に見合う高さの箱で梱包することができる。さらに従来の緩衝材では、突出部を組立てる作業は各角部に対し計４回以上行わなくてはならないので組立作業性に劣っていたが、本発明の緩衝材は当接部を折り返す作業を２回行うことで組立てが完了し、組立作業性に優れている。
【発明を実施するための最良の形態】
【００１２】
以下、本発明の緩衝材の実施の形態について図面を参照しながら説明する。なお、この実施の形態によって本発明が限定されるものではない。
（実施の形態１）
【００１３】
本発明の第１の実施の形態における緩衝材は、図２に示すように、一面を開口した梱包箱１に収納した被梱包物２を保護するために梱包箱１の収納部を構成する面のうち開口した面及び梱包箱１の底面１ａに垂直な４つの内側面１ｂと、被梱包物２の湾曲面２ｃと湾曲面２ｃの対面２ａに垂直な４つの側面２ｂとの間に介在させるものである。
【００１４】
また図３及び図５に示すように、梱包箱１の底面１ａに被梱包物２の湾曲面２ｃの対面２ａを当接させ、梱包箱１の開口した面及び底面１ａに垂直な４つの内側面１ｂを被梱包物２の湾曲面２ｃと湾曲面２ｃの対面２ａに垂直な４つの側面２ｂに平行に対向させ、梱包箱１の開口した面及び底面１ａに垂直な４つの内側面１ｂの各々に隣接する４つのフラップ３を被梱包物２の湾曲面２ｃを覆うように折りたたんだ状態で梱包箱１に被梱包物２を収納する。被梱包物２は、湾曲面２ｃの対面２ａと、４つの側面２ｂにより形成された下箱４と、湾曲面２ｃと４つの側面２ｂにより下箱４の開口を覆うように形成された上箱５とを組み合わせることにより構成されている。被梱包物２の下箱４の内側４ａには主幹開閉器及び分岐開閉器２８を取りつけ、上箱５の湾曲面２ｃには主幹開閉器及び分岐開閉器２８の操作ハンドル３０を突出させるための複数の窓孔６が形成されており、下箱４と上箱５を組合わせた状態では湾曲面２ｃの複数の窓孔６から湾曲面２ｃに垂直に主幹開閉器及び分岐開閉器２８の操作ハンドル３０が突出し、被梱包物２の湾曲面２ｃから主幹開閉器及び分岐開閉器２８の操作ハンドル３０の操作ができるようになっている。
【００１５】
また図１及び図６に示すように、緩衝材１０は被梱包物２の湾曲面２ｃと湾曲面２ｃの対面２ａに垂直な４つの側面２ｂのうち隣接する３面に当接する側面中央部１１及び２つの側面部１２と、側面中央部１１の上端に折り曲げ線５０で連接された上面部１３と、上面部１３には折り返し線１６と切溝１４によって形成され、折り返し線１６から先端５１に向かって広がる形状の当接部１５と、当接部１５の端部１７の形状に対応する係止孔１８とを段ボールなどの一枚の板状部材により一体形成し、２つの側面部１２を各々の折り曲げ線２９に沿って折り曲げ、当接部１５を折り返し線１６で略１８０°折り返して、当接部１５の端部１７を上面部１３に設けた係止孔１８に嵌挿し係止する。
【００１６】
また図１及び図５に示すように、上面部１３は折り曲げ線５０に沿って当接部１５を被梱包物２の湾曲面２ｃ頂部近傍に当接させるように折り曲げ、被梱包物２の湾曲面２ｃと被梱包物２の湾曲面２ｃを覆うように折りたたんだ梱包箱１のフラップ３との間に上面部１３及び当接部１５を配置し、被梱包物２の湾曲面２ｃと梱包箱１のフラップ３との間に生じた上面部１３及び当接部１５の厚み分の空間に湾曲面２ｃの複数の窓孔６から湾曲面２ｃに垂直に突出した主幹開閉器及び分岐開閉器２８の操作ハンドル３０を格納する。このとき当接部１５は湾曲面２ｃ頂部近傍に完全に当接し、梱包箱１内に収納した被梱包物２の動きを完全に抑制するとともに、被梱包物２の湾曲面２ｃと梱包箱１のフラップ３との間に生じた上面部１３及び当接部１５の厚み分の空間によって、操作ハンドル３０の破損防止を行うことができる。また当接部１５は被梱包物２の湾曲面２ｃ頂部近傍に完全に当接しているため輸送時の振動等による外力が加わろうとも当接部１５の折り返しが解除されることはなく、確実に梱包箱１内に収納した被梱包物２を保持することができる。
【００１７】
また図１及び図４に示すように、当接部１５の端部１７は当接部１５の折り返しを解除しようとする力の方向と反対側に広がる形状であるため、当接部１５の折り返しが解除されることはなく、当接部１５を折り返して係止孔１８に嵌挿した際に当接部１５を係止状態で維持することができ、組立作業性に優れている。さらに緩衝材１０を梱包箱１及び被梱包物２に組み込むとき、当接部１５は係止状態で維持されているので当接部１５が緩衝材１０を梱包箱１及び被梱包物２に組み込む作業をさまたげることはない。
（実施の形態２） 
【００１８】
本発明の第２の実施の形態における緩衝材は、図７及び図８に示すように、上面部１３に第一の折り返し線１６ｄとコ字状の切溝１４ｄによって形成された第一の当接部１５ｄを形成し、同じ上面部１３には第二の折り返し線２２とコ字状の切溝５２によって形成された第二の当接部２１を形成する。第二の当接部２１と第二の折り返し線２２は、第一の当接部１５ｄを第一の折り返し線１６ｄで略１８０°折り返し、第二の当接部２１を第二の折り返し線２２で略１８０°折り返した際に、第一の当接部１５ｄの一部と第二の当接部２１の一部が重なる位置に形成されている。第一の当接部１５ｄには第一の当接部１５ｄの一端を切り欠いた第一の切り欠け部１８ｄを、第二の当接部２１には第二の当接部２１の一端を切り欠いた第二の切り欠け部２３を形成し、第一の切り欠け部１８ｄと第二の切り欠け部２３は、各当接部１５ｄ、２１を略１８０°折り返した際に相互に引っ掛り係止する位置に形成されている。第一の切り欠け部１８ｄと第二の切り欠け部２３は相互に引っ掛り係止するので、第一の当接部１５ｄ及び第二の当接部２１の折り返しが解除されることはなく、係止状態をより確実に維持することができる。これによって、緩衝材組立時に各当接部１５ｄ、２１の折り返しが解除されることは、より確実になくなるので実施の形態１記載の緩衝材よりも組立作業性に優れている。
（実施の形態３） 
【００１９】
本発明の第２の実施の形態における緩衝材は、図９及び図１０に示すように、上面部１３には折り返し線１６とコ字状の切溝１４ｃによって形成される当接部１５ｃと、当接部１５ｃ内にさらに実施の形態１記載の当接部１５の端部１７の形状の係止爪２０を有しかつ係止爪２０の形状に対応する係止孔１８ｃを上面部１３に形成し、当接部１５ｃを折り返し線１６で略１８０°折り返して係止爪２０を上面部１３に設けた係止孔１８ｃに嵌挿する。このとき係止爪２０は当接部１５ｃの折り返しを解除しようとする力の方向と反対側に広がる形状であるため、当接部１５ｃの折り返しが解除されることはなく、係止状態を維持することができる。これによって、実施の形態１記載の緩衝材を作る際に係止孔１８を打ち抜いてできる抜き滓を減らし、材料の廃棄量を減らすことができる。
（実施の形態４）
【００２０】
本発明の第２の実施の形態における緩衝材は、図１１及び図１２に示すように、上面部１３には折り返し線１６とコ字状の切溝１４ｅによって形成される当接部１５ｅと、当接部１５ｅの端部１７ｅを挟持する位置に、コ字状の切溝２５により形成された係止片２６を設け、当接部１５ｅを折り返し線１６で略１８０°折り返して、係止片２６を上面部１３から離し、当接部１５ｅの端部１７ｅを係止片２６に挟持させる。このとき当接部１５ｅは係止片２６に挟持されているため、当接部１５ｅの折り返しが解除されることはなく、係止状態を維持することができる。これによって、請求項１記載の緩衝材を作る際に係止孔１８を打ち抜いてできる抜き滓をなくし、抜き滓を除去する製作工程を減らすことができる。
【図面の簡単な説明】
【００２１】
【図１】本発明の実施の形態１の緩衝材を梱包箱及び被梱包物に組み込んだときの要部の分解斜視図である。
【図２】本発明の実施の形態１の緩衝材を梱包箱及び被梱包物に組み込んだときの分解斜視図である。
【図３】本発明の実施の形態１の緩衝材を梱包箱及び被梱包物に組み込んだときの梱包箱及び緩衝材の一部を切断除去した斜視図である。
【図４】本発明の実施の形態１の緩衝材の部分断面図である。
【図５】本発明の実施の形態１の緩衝材を梱包箱及び被梱包物に組み込んで梱包箱の４つのフラップを完全に封した状態の側面断面図である。
【図６】本発明の実施の形態１の緩衝材の展開図である。
【図７】本発明の実施の形態２の緩衝材の展開図である。
【図８】本発明の実施の形態２の緩衝材を組立たときの斜視図である。
【図９】本発明の実施の形態３の緩衝材の展開図である。
【図１０】本発明の実施の形態３の緩衝材を組立たときの斜視図である。
【図１１】本発明の実施の形態４の緩衝材の展開図である。
【図１２】本発明の実施の形態４の緩衝材を組立たときの斜視図である。
【図１３】従来の緩衝材を梱包箱及び被梱包物に組み込んだときの要部の分解斜視図である。
【符号の説明】
【００２２】
１      梱包箱
１ａ    底面
１ｂ    内側面
２      被梱包物
２ａ    対面
２ｂ    側面
２ｃ    湾曲面
３      フラップ
４      下箱
４ａ    内側
５      上箱
６      窓孔
１０    緩衝材
１１    側面中央部
１２    側面部
１３    上面部
１４    切溝
１４ｃ  切溝
１４ｄ  切溝
１４ｅ  切溝
１５    当接部
１５ｃ  当接部
１５ｄ  第一の当接部
１５ｅ  当接部
１６    折り返し線
１６ｄ  第一の折り返し線
１７    端部
１７ｅ  端部
１８    係止孔
１８ｃ  係止孔
１８ｄ  第一の切り欠け部
２０    係止爪
２１    第二の当接部
２２    第二の折り返し線
２３    第二の切り欠け部
２５    切溝
２６    係止片
２８    主幹開閉器及び分岐開閉器
２９    折り曲げ線
３０    操作ハンドル
５０    折り曲げ線
５１    先端
５２    切溝
９０    主片
９１    両側片
９２    重合片
９３    突出部
９９    緩衝材
【図１】
2010023872.tif 000003
【図２】
2010023872.tif 000004
【図３】
2010023872.tif 000005
【図４】
2010023872.tif 000006
【図５】
2010023872.tif 000007
【図６】
2010023872.tif 000008
【図７】
2010023872.tif 000009
【図８】
2010023872.tif 000010
【図９】
2010023872.tif 000011
【図１０】
2010023872.tif 000012
【図１１】
2010023872.tif 000013
【図１２】
2010023872.tif 000014
【図１３】
2010023872.tif 000015